(57)【要約】【課題】  表示スペースの有効活用と、いっそうの視認性向上とを図ることができる電子機器及びダイバーズ用情報処理装置を提供する。【解決手段】  時刻の各数字を表示するために割り当てられたセグメントの組のいずれかに囲まれた領域内に、午前及び午後を示すセグメントＡ１、Ａ２、Ｐ１、Ｐ２を配置する。また、複数種類の単位又は文字情報を切替表示する場合に、その同一の文字又は記号を共用するようにセグメントを配置することで、表示の省スペース化を図ることが可能となる。例えば、「ｍｉｎ（分）」と「ｍ（メートル）」を切替表示する場合に、「ｍ」と、「ｉｎ」とを示すセグメントを順に配置することで、「ｍｉｎ」及び「ｍ」を表示することができる。【選択図】      図２
2004251887.tif 000002
【特許請求の範囲】
【請求項１】
時刻をセグメント表示する情報表示部を備え、
前記情報表示部は、時刻の各数字を表示するために割り当てられたセグメントの組のいずれかに囲まれた領域内に、午前及び午後を示す情報を表示することを特徴とする電子機器。
【請求項２】
前記情報表示部は、時刻の時分のうち、時の１０位桁の数字を表示するために割り当てられたセグメントの組に囲まれた領域内に、午前及び午後を示す情報を表示することを特徴とする請求項１に記載の電子機器。
【請求項３】
複数種類の単位又は文字情報を、切替表示情報としてセグメント表示する情報表示部を備え、
前記情報表示部は、同一の文字又は記号を含む複数の切替表示情報については、その同一の文字又は記号を共用するように前記複数の切替表示情報を表示することを特徴とする電子機器。
【請求項４】
前記情報表示部には、「°」、「Ｆ」、「ｔ」をそれぞれ表示するセグメントが順に配置され、
前記切替表示情報として、華氏の単位を表示させる場合は「°」と「Ｆ」のセグメントを点灯して「°Ｆ」を表示し、フィートの単位を表示させる場合は「Ｆ」と「ｔ」のセグメントを点灯して「Ｆｔ」を表示することを特徴とする請求項３に記載の電子機器。
【請求項５】
前記情報表示部には、「°」、「Ｃ」、「Ｆ」をそれぞれ表示するセグメントが順に配置され、
前記切替表示情報として、角度の単位を表示させる場合は「°」のセグメントを点灯して「°」を表示し、摂氏の単位を表示させる場合は「°」と「Ｃ」のセグメントを点灯して「°Ｃ」を表示し、華氏の単位を表示させる場合は「°」と「Ｆ」のセグメントを点灯して「°Ｆ」を表示することを特徴とする請求項３に記載の電子機器。
【請求項６】
前記情報表示部には、「ＴＯＴ」、「ＡＬ」をそれぞれ表示するセグメントが順に配置され、
前記切替表示情報として、合計を表示させる場合は、全ての前記セグメントを点灯して「ＴＯＴＡＬ」を表示し、アラームを示す情報を表示させる場合は「ＡＬ」のセグメントを点灯して「ＡＬ」を表示することを特徴とする請求項３に記載の電子機器。
【請求項７】
前記情報表示部には、「ＤＩＶＥ」、「．」、「Ｔ」、「ＯＴ」、「ＡＬ」をそれぞれ表示するセグメントが順に配置され、
前記切替表示情報として、潜水時間を示す情報を表示させる場合は「ＤＩＶＥ」と「．」と「Ｔ」のセグメントを点灯して「ＤＩＶＥ．Ｔ」を表示し、潜水回数の合計を表示させる場合は「．」以外の前記セグメントを点灯して「ＤＩＶＥ  ＴＯＴＡＬ」を表示し、潜水回数以外の合計を示す情報を表示させる場合は「Ｔ」と「ＯＴ」と「ＡＬ」のセグメントを点灯して「ＴＯＴＡＬ」を表示することを特徴とする請求項３に記載の電子機器。
【請求項８】
前記情報表示部には、「ｍ」又は「Ｍ」、「ｉｎ」をそれぞれ表示するセグメントが順に配置され、
前記切替表示情報として、メートルを示すｍ又はＭを表示させる場合は、「ｍ」又は「Ｍ」のセグメントを点灯して「ｍ」又は「Ｍ」を表示し、分を表示させる場合は、全ての前記セグメントを点灯して「ｍｉｎ」又は「Ｍｉｎ」を表示することを特徴とする請求項３に記載の電子機器。
【請求項９】
複数の数値表示部により時刻の表示を行う時刻表示部と、午前及び午後の表示を行う午前午後表示部とを有し、
前記午前午後表示部を、前記時刻表示部の１０位桁を表す前記数値表示部の内部に配置することを特徴とする電子機器。
【請求項１０】
請求項９記載の電子機器において、
前記時刻表示部に、午前及び午後の表示を行いながら０時００分から１１時５９分までの１２時間制にて表示を行う１２時間表示手段と、
前記時刻表示部に、午前及び午後の表示せず０時００分から２３時５９分までの２４時間制にて表示を行う２４時間表示手段と、
前記１２時間表示手段と前記２４時間表示手段とを切り替える時刻表示切替手段とを有することを特徴とする電子機器。
【請求項１１】
メートル単位の水深値表示または標高値表示を行う場合に単位としてｍの表示を行い、分単位の時間の表示を行う場合に単位としてｍｉｎの表示を行うダイバーズ用情報処理装置において、
分を示す前記ｍｉｎの表示のｍを、メートルを示す前記ｍの表示に使用することを特徴とするダイバーズ用情報処理装置。
【請求項１２】
メートル単位の水深値表示または標高値表示を行う場合に単位としてＭの表示を行い、分単位の時間の表示を行う場合に単位としてＭｉｎの表示を行うダイバーズ用情報処理装置において、
分を示す前記Ｍｉｎの表示のＭを、メートルを示す前記Ｍの表示に使用することを特徴とするダイバーズ用情報処理装置。
【発明の詳細な説明】
【技術分野】
【０００１】
本発明は、時刻、水深値、時間等の情報を表示する電子機器及びダイバーズ用情報処理装置に関する。
【背景技術】
【０００２】
従来、セグメント表示形式にて時刻表示を行う時計等の電子機器においては、午前を表すＡＭやＡのセグメント、ならびに午後を表すＰＭやＰのセグメントが、時刻表示の周辺部に配置されていた（例えば特許文献１）。また、少しでも表示面積を縮小する方法としては、ＡＭ、ＰＭのＡとＰを共用の表示部位を用いて表示する、といった方法も考案されている（例えば特許文献２）。
【０００３】
また、ダイバーズ用情報処理装置においては、水深値と時間（潜水時間）を異なるタイミングで同一の位置に表示、すなわち、切替表示する場合、水深値を表示する際の単位であるｍ（もしくはＭ）と、分単位の時間を表示する際の単位であるｍｉｎ（もしくはＭｉｎ）を、別々の位置に配置して表示していた。
【特許文献１】特開平１１−１４２５５１号公報
【特許文献２】特開２０００−９８０６８号公報
【発明の開示】
【発明が解決しようとする課題】
【０００４】
ところで、時計やダイバーズ用情報処理装置等の携帯情報機器は、今後更に小型化が進行していくと考えられる。その中で各種情報を表示する表示スペースも少なくなっており、情報の表示に際して制約が大きくなっている。このため、午前及び午後を表示する情報を時刻表示の周辺部に配置すると、時刻表示の大きさが制限され、視認性が悪くなるおそれがある。特に、水中という特殊状況下で使用されるダイバーズ用情報処理装置は、早めに危険を知らせる必要があることから、表示の視認性を確保することが極めて重要である。また、近年の携帯情報機器は多機能化が進んでおり、ダイバーズ用情報処理装置に至っては、潜水時に水深値、水温、気圧（水圧）を表示したり、過去の潜水の記録を表示したり、様々な情報を表示するため、様々な情報を表示するための効率の良いセグメントの配置がますます重要となってきている。
【０００５】
本発明は、上述した事情に鑑みてなされたものであり、表示スペースの有効活用と、いっそうの視認性向上とを図ることができる電子機器及びダイバーズ用情報処理装置を提供することを目的としている。
【課題を解決するための手段】
【０００６】
上述課題を解決するため、本発明は、電子機器において、時刻をセグメント表示する情報表示部を備え、前記情報表示部は、時刻の各数字を表示するために割り当てられたセグメントの組のいずれかに囲まれた領域内に、午前及び午後を示す情報を表示することを特徴とする。この構成によれば、時刻の各数字を表示するために割り当てられたセグメントの組のいずれかに囲まれた領域内に、午前及び午後を示す情報を表示するので、午前及び午後を示す情報を時刻の外側に配置する必要がないため、その分、限られた表示スペースで時刻等をより大きく表示させることが可能となる。特に、ダイバーズ用情報処理装置に適用した場合、水中という特殊状況下で特に重要視される時刻や警告等の情報の視認性を向上させることができ、ダイバー（使用者）に早めに危険を知らせることが可能となる。
【０００７】
上記構成においては、前記情報表示部は、時刻の時分のうち、時の１０位桁の数字を表示するために割り当てられたセグメントの組に囲まれた領域内に、午前及び午後を示す情報を表示することが好ましい。
【０００８】
また、本発明は、電子機器において、複数種類の単位又は文字情報を、切替表示情報としてセグメント表示する情報表示部を備え、前記情報表示部は、同一の文字又は記号を含む複数の切替表示情報については、その同一の文字又は記号を共用するように前記複数の切替表示情報を表示することを特徴とする。この構成によれば、同一の文字又は記号を含む複数の切替表示情報については、その同一の文字又は記号を共用するように複数の切替表示情報を表示するので、表示の省スペース化を図ることができ、その分、限られた表示スペースで他の表示情報をより大きく表示させることが可能となる。特に、ダイバーズ用情報処理装置に適用した場合、水中という特殊状況下で特に重要視される時刻や警告等の情報の視認性を向上させることができ、ダイバー（使用者）に早めに危険を知らせることが可能となる。また、複数種類の単位又は文字情報を別々に設ける場合に比して、それら情報をセグメント表示させるために必要な配線長を短縮でき、省エネ化を図ることもできる。
【０００９】
上記構成において、前記情報表示部には、「°」、「Ｆ」、「ｔ」をそれぞれ表示するセグメントが順に配置され、前記切替表示情報として、華氏の単位を表示させる場合は「°」と「Ｆ」のセグメントを点灯して「°Ｆ」を表示し、フィートの単位を表示させる場合は「Ｆ」と「ｔ」のセグメントを点灯して「Ｆｔ」を表示する構成が好ましい。
【００１０】
また、上記構成において、前記情報表示部には、「°」、「Ｃ」、「Ｆ」をそれぞれ表示するセグメントが順に配置され、前記切替表示情報として、角度の単位を表示させる場合は「°」のセグメントを点灯して「°」を表示し、摂氏の単位を表示させる場合は「°」と「Ｃ」のセグメントを点灯して「°Ｃ」を表示し、華氏の単位を表示させる場合は「°」と「Ｆ」のセグメントを点灯して「°Ｆ」を表示する構成も好ましい。
【００１１】
また、上記構成において、前記情報表示部には、「ＴＯＴ」、「ＡＬ」をそれぞれ表示するセグメントが順に配置され、前記切替表示情報として、合計を表示させる場合は、全ての前記セグメントを点灯して「ＴＯＴＡＬ」を表示し、アラームを示す情報を表示させる場合は「ＡＬ」のセグメントを点灯して「ＡＬ」を表示する構成も好ましい。
【００１２】
また、上記構成において、「ＤＩＶＥ」、「．」、「Ｔ」、「ＯＴ」、「ＡＬ」をそれぞれ表示するセグメントが順に配置され、前記切替表示情報として、潜水時間を示す情報を表示させる場合は「ＤＩＶＥ」と「．」と「Ｔ」のセグメントを点灯して「ＤＩＶＥ．Ｔ」を表示し、潜水回数の合計を表示させる場合は「．」以外の前記セグメントを点灯して「ＤＩＶＥ  ＴＯＴＡＬ」を表示し、潜水回数以外の合計を示す情報を表示させる場合は「Ｔ」と「ＯＴ」と「ＡＬ」のセグメントを点灯して「ＴＯＴＡＬ」を表示する構成も好ましい。
【００１３】
また、上記構成において、前記情報表示部には、「ｍ」又は「Ｍ」、「ｉｎ」をそれぞれ表示するセグメントが順に配置され、前記切替表示情報として、メートルを示すｍ又はＭを表示させる場合は、「ｍ」又は「Ｍ」のセグメントを点灯して「ｍ」又は「Ｍ」を表示し、分を表示させる場合は、全ての前記セグメントを点灯して「ｍｉｎ」又は「Ｍｉｎ」を表示する構成も好ましい。
【００１４】
また、本発明は、電子機器において、複数の数値表示部により時刻の表示を行う時刻表示部と、午前及び午後の表示を行う午前午後表示部とを有し、前記午前午後表示部を、前記時刻表示部の１０位桁を表す前記数値表示部の内部に配置することを特徴とする。この構成によれば、午前午後表示部を、時刻表示部の１０位桁を表す数値表示部の内部に配置するので、午前及び午後を示す情報を時刻の外側に配置する必要がない分、限られた表示スペースで時刻等をより大きく表示させることが可能となる。特に、ダイバーズ用情報処理装置に適用した場合、水中という特殊状況下で特に重要視される時刻や警告等の情報の視認性を向上させることができ、ダイバー（使用者）に早めに危険を知らせることが可能となる。
【００１５】
また、上記構成において、前記時刻表示部に、午前及び午後の表示を行いながら０時００分から１１時５９分までの１２時間制にて表示を行う１２時間表示手段と、前記時刻表示部に、午前及び午後の表示せず０時００分から２３時５９分までの２４時間制にて表示を行う２４時間表示手段と、前記１２時間表示手段と前記２４時間表示手段とを切り替える時刻表示切替手段とを有するようにしてもよい。
【００１６】
また、本発明は、ダイバーズ用情報処理装置において、メートル単位の水深値表示または標高値表示を行う場合に単位としてＭの表示を行い、分単位の時間の表示を行う場合に単位としてＭｉｎの表示を行うダイバーズ用情報処理装置において、分を示す前記Ｍｉｎの表示のＭを、メートルを示す前記Ｍの表示に使用することを特徴とする。この構成によれば、分を示す前記Ｍｉｎの表示のＭを、メートルを示すＭの表示に使用するので、Ｍを共用でき、表示の省スペース化を図ることができる。特に、ダイバーズ用情報処理装置に適用した場合、水中という特殊状況下で特に重要視される時刻や警告等の情報の視認性を向上させることができ、ダイバー（使用者）に早めに危険を知らせることが可能となる。また、Ｍを共用することにより、Ｍをセグメント表示させるために必要な配線長を短縮でき、省エネ化を図ることもできる。
【発明の効果】
【００１７】
本発明は、時刻の各数字を表示するために割り当てられたセグメントの組のいずれかに囲まれた領域内に、午前及び午後を示す情報を表示するので、午前及び午後を示す情報を時刻の外側に配置する必要がないため、表示の省スペース化を図ることができ、この結果、限られた表示スペースで時刻等をより大きく表示させることが可能となる。また、本発明は、同一の文字又は記号を含む複数の切替表示情報については、その同一の文字又は記号を共用するように複数の切替表示情報を表示するので、表示の省スペース化を図ることができ、その分、限られた表示スペースで他の表示情報をより大きく表示させることが可能となる。
【発明を実施するための最良の形態】
【００１８】
以下、本発明をダイビングを行うダイバーに潜水情報を報知するダイバーズ用情報処理装置に適用する場合を説明する。なお、ダイバーズ用情報処理装置は主に潜水時に使用され、ダイバーの体内に蓄積されているであろう窒素量等を計算してダイバーに提示する情報処理装置である。
【００１９】
（１）  第１実施形態
図１は、第１実施形態に係るダイバーズ用情報処理装置の概要構成ブロック図である。
ダイバーズ用情報処理装置１０は、大別すると、マイクロコンピュータ１００と、スイッチ部１０１と、ブザー部１０２と、ＥＥＰＲＯＭ１０３と、センサー部１０４と、情報表示部（ＬＣＤ部）１０５と、ＥＬ部１０６と、発振回路部１０７と、を備えている。マイクロコンピュータ１００は、ダイバーズ用情報処理装置１０全体を制御するものであり、大別すると、マイクロプロセッサ１０８と、フラッシュＲＯＭ１０９と、ＲＡＭ１１０と、を備えている。
【００２０】
マイクロプロセッサ１０８は、ダイバーズ用情報処理装置１０全体を制御する。フラッシュＲＯＭ１０９は、マイクロプロセッサ１０８が制御を行うための制御プログラムを記憶している。ＲＡＭ１１０は、各種データを一時的に格納する。スイッチ部１０１は、各種ボタンなどの操作子が配置され、ユーザーがデータやコマンドなどを入力するために用いられるものであり、大別すると、ユーザーが操作を行うαボタン１０１ａとβボタン１０１ｂの二つのボタンと、水分を検知して自動的にダイビングのモードに移行するためのγスイッチ１０１ｃとを備えている。
【００２１】
ブザー部１０２は、ユーザーに注意を促したり、警報を出したりする場合に各種アラーム音等を報音するためのものである。ＥＥＰＲＯＭ１０３は、各種設定データを不揮発状態で記憶する。センサー部１０４は、水深を計測するための水圧センサー、水温を計測する水温センサーなどの各種センサーを備えている。情報表示部１０５は、各種情報を表示する液晶画面を備えている。ＥＬ部１０６は、情報表示部１０５の液晶画面を照明するための照明装置として機能している。発振回路部１０７は、水晶発振器などを備え、マイクロコンピュータ１００の動作クロックや、計時用のクロック信号を生成する。
【００２２】
図２は、情報表示部１０５の表示画面を示す図である。
情報表示部１０５は、液晶表示パネルを具備し、本実施形態では、セグメント表示形式で各種情報を表示する。詳述すると、この情報表示部１０５は、時刻の各数字等を表示するための７つのセグメントの組である数字表示部として、１３個の数字表示部２０１〜２０４、２１１〜２１３、２２１〜２２４、２３１〜２３２を備えている。この数字表示部２０１〜２０４のグループをグループ２００、数字表示部２１１〜数字表示部２１３のグループをグループ２１０、数字表示部２２１〜２２４のグループをグループ２２０、数字表示部２３１〜２３２のグループをグループ２３０とし、各グループに、時刻表示、月日表示、水深表示、水温表示、潜水時間表示等をそれぞれ割り当てている。
【００２３】
この情報表示部１０５には、上記数字表示部に加えて、時刻表示、月日表示、水深表示及び水温表示等の場合に、所定の記号、文字又は絵柄を切り替え表示するための複数のセグメント（表示子）が配置されている。具体的には、グループ２００の領域には、時刻表示の場合に使用する、午前（Ａ）を示す午前セグメントＡ１と、午後（Ｐ）を示す午後セグメントＰ１と、コロンを示すコロンセグメントＦ２と、月日表示の場合に使用する、区切りを示す区切りセグメントＦ１と、水深表示の場合に使用する、コンマを示すコンマセグメントＦ３と、ｍ（メートル））を示すｍセグメントＦ４と、水深（DEPTH）を示す水深セグメントＦ１６と、ｍａｘ（最大）を示すｍａｘセグメントＦ１７とが設けられている。
【００２４】
また、グループ２１０の領域には、水温表示等を行う場合に使用するセグメント、具体的には、コンマを示すコンマセグメントＦ５と、温度の単位（℃）を示す℃セグメントＦ６と、無減圧潜水可能時間（潜水中にダイバーズ用情報処理装置がダイバーに報知する情報の一つ）を示す際に用いるｍｉｎ（分）を示すｍｉｎセグメントＦ７と、無減圧潜水可能時間を表示中であることを通知する文字情報（ＮＤＬ）を示すＮＤＬセグメントＦ８とが設けられている。
【００２５】
また、グループ２２０の領域には、時刻表示の場合に使用する、午前（Ａ）を示す午前セグメントＡ２と、午後（Ｐ）を示す午後セグメントＰ２と、コロンを示すコロンセグメントＦ１２と、潜水時間表示の場合に使用する、ｍｉｎ（分）を示すｍｉｎセグメントＦ１１と、コンマを示すコンマセグメントＦ３０とが設けられている。
【００２６】
さらに、情報表示部１０５には、アラームが鳴るように設定した際に点灯されるアラームセグメントＦ１５と、時報が鳴るように設定した際に点灯される時報セグメントＦ１４と、ダイビング中に浮上する速度が速く危険な際に注意を促すために点灯される速度注意セグメントＦ１３と、潜水時間（DIVE TIME）を表示する際に点灯されるセグメントＦ１０と、電池電圧が低下した際に点灯される電池セグメントＦ９が設けられている。
【００２７】
ここで、本実施形態では、図２に示すように、午前や午後を示すセグメント（午前午後表示部）Ａ１、Ａ２、Ｐ１、Ｐ２については、時刻の時分のうち、時の１０位桁を示す数字表示部２０１、２２１のセグメントの組に囲まれた空き領域内に配置されている。このため、午前や午後を示すフラグＡ１、Ａ２、Ｐ１、Ｐ２の表示スペースを特に設ける必要がなく、表示スペースの有効利用を図ることができる。
【００２８】
次いで、ダイバーズ用情報処理装置１０の動作を説明する。図３は、ダイバーズ用情報処理装置１０の動作フローを説明するための画面遷移図である。なお、以下の動作は、マイクロプロセッサ１０８が、フラッシュＲＯＭ１０９に記憶された制御プログラムを読み出して実行することによって実施される。
【００２９】
ダイバーズ用情報処理装置１０の起動直後は、現在時刻と日付を表示する動作モード（タイムモード）となり、画面Ｔ２４を表示する。この画面Ｔ２４では、グループ２００に月日を、グループ２２０に時分を、グループ２３０に秒を表示する。グループ２２０の現在時刻は、２４時間制にて表されており、０：００から２３：５９までの表示となる。
【００３０】
この画面Ｔ２４の状態でβボタン１０１ｂが押下されると、画面Ｔ１２を表示し、時刻の時制を２４時間制から１２時間制に切り替える。画面Ｔ１２の１２時間制表示においては、午前を表示する際は午前セグメントＡ２を、午後を表示する際は午後セグメントＰ２を表示し、時刻はＡ１２：００〜Ａ１１：５９〜Ｐ１２：００〜Ｐ１１：５９の表示に切り替わる。
【００３１】
また、この画面Ｔ２４の状態でαボタン１０１ａが押下されると、アラームと時報の設定モードに移行し、画面Ａ２４に切り替える。この画面Ａ２４では、グループ２００にアラーム時刻を、グループ２１０にアラーム設定画面であることを示す“ＡＬ”文字を、グループ２２０とグループ２３０に現在時刻を表示する。この画面Ａ２４の状態では、αボタン１０１ａが押下されると、アラームのＯＮ／ＯＦＦ、時報のＯＮ／ＯＦＦを切り替える。具体的には、αボタン１０１ａが押下される毎に、（アラーム、時報）：（ＯＦＦ、ＯＦＦ）→（ＯＮ、ＯＦＦ）→（ＯＦＦ、ＯＮ）→（ＯＮ、ＯＮ）→（ＯＦＦ、ＯＦＦ）・・・、といった順で切り替わる。
【００３２】
この切り替えの過程でアラームがＯＮとなった場合はアラームセグメントＦ１５を点灯表示させ、時報がＯＮとなった場合は時報セグメントＦ１４を点灯表示させる。また、画面Ａ２４の状態で、βボタン１０１ｂが押下されると、グループ２００のアラーム時刻を分桁を加算する形で変更する。また、画面Ａ２４の状態で、αボタン１０１ａが５秒間押し続けられる、といった特殊操作が行われると、動作モードを、アラームと時報の設定モードから現在時刻と日付を表示する動作モードに変更し、画面Ｔ２４を表示する。
【００３３】
また、画面Ｔ１２の状態でαボタン１０１ａが押下されると、画面Ａ１２を表示する。この画面Ａ１２の場合の動作は、グループ２００のアラーム時刻表示、ならびに、グループ２２０の現在時刻表示が、１２時間制となっていることを除いて、画面Ａ２３と同様である。この画面Ａ１２の状態では、αボタン１０１ａが５秒間押し続けられると、画面Ｔ１２に戻ることができる。以上が陸上での動作フローとなる。引き続いて、水中での動作フローを述べる。
【００３４】
ダイバーズ用情報処理装置１０が水中に移動し、γスイッチ１０１ｃにて水分が検知された場合、ダイビングの画面Ｄ１を表示する。画面Ｄ１においては、グループ２００に現在水深を、グループ２１０に無減圧潜水可能時間を、グループ２２０に潜水時間を、それぞれ表示する。なお、無減圧潜水可能時間とは、減圧停止を行わないダイビングがあと何分可能であるか、を表す時間であるが、詳細は省く。また、画面Ｄ１においては速度注意フラグＦ１３（「SLOW」）が点灯しているが、これは、現在浮上している速度が規定を超え、危険であることを意味している。ここで、現在水深は、マイクロコンピュータ１００が、センサー部１０４の圧力センサーによって検出した圧力値に基づいて所定間隔で算出し、図１におけるＲＡＭ１１０に順次格納するようになっている。
【００３５】
この画面Ｄ１においてαボタン１０１ａが押下されると、押下される間は、画面Ｄ２を表示する。この画面Ｄ２では、グループ２００に現在のダイビングにおいて最も深くなった水深を、グループ２１０に現在の水温を、グループ２２０とグループ２３０に現在時刻を表示する。ここで、最大水深は、ＲＡＭ１１０に格納された現在のダイビングの水深値のうち最も深い水深値であり、現在水温は、マイクロコンピュータ１００が、センサー部１０４の温度センサーにより取得するようになっている。また、この画面Ｄ１においては、βボタン１０１ｂが押下されると、ＥＬ部１０６を駆動して画面を照明するようになっている。
【００３６】
なお、この画面Ｄ２の現在時刻は１２時間制となっているが、これは、陸上の画面において１２時間制を選択していたことを意味しており、２４時間制が選択されていれば、画面Ｄ２でも２４時間制で時刻が表示される。
【００３７】
以上が、水中での動作フローとなる。水中から陸上に移動し、水検知用のγスイッチ１０１ｃがＯＦＦとなると、画面Ｄ１から画面Ｔ２４に自動で切り替わるようになっている。なお、電池フラグＦ９は、水中か陸上に関わらず、電池電圧が予め定めた閾値以下となった場合に点灯され、ユーザーに電池交換を促すようになっている。
【００３８】
以上説明したように、本実施形態に係るダイバーズ用情報処理装置１０は、午前や午後を示すセグメントＡ１、Ａ２、Ｐ１、Ｐ２を、時刻表示用の数字表示部のセグメントに囲まれた領域、つまり、時刻表示部の空き領域に配置することによって、この種のフラグを数字表示部の外側に配置する場合に比して、表示の省スペース化を図ることができる。
また、午前や午後を示すセグメントＡ１、Ａ２、Ｐ１、Ｐ２を、時刻の時分のうち、時の１０位桁の数字を表示するために割り当てたセグメントの組に囲まれた領域内に配置するので、時の１０位桁が「１」の場合は上記セグメントＡ１、Ａ２、Ｐ１、Ｐ２が時刻の外側に表示されることとなり、これらセグメントＡ１、Ａ２、Ｐ１、Ｐ２によっては時刻表示が妨げられないという利点がある。
【００３９】
従来技術との比較を行うと、従来の表示が図４の画面４１のように午前及び午後表示をセグメント外部に配置していた場合と比較して、本発明の表示である図４の画面４２のように午前及び午後表示をセグメント内部に配置することによって、表示スペースを有効活用でき、その分、画面４２の時刻表示を大きくして視認性の向上を図ることができる。
このように、本実施形態では、水中という特殊状況下で使用されるダイバーズ用情報処理装置１０において、従来のダイバーズ用情報処理装置に必要であった午前午後の表示スペースを、水中で特に重要視される時刻や警告等の情報表示に割り当てることにより、これら情報の視認性を向上し、ダイバー（使用者）に早めに危険を知らせることが可能となる。
【００４０】
上述の実施形態は、あくまでも本発明の一態様を示すものであり、本発明の範囲内で任意に変形が可能である。例えば、上記実施形態では、図５の左側に示すように、７セグメントの数字表示部５１内に、午前及び午後を示すセグメントを配置する場合について述べたが、図５の中央及び右側に示すように、１０セグメントのようにより多くのセグメントの数字表示部５２や、６セグメントのようにより少ないセグメントの数字表示部５３の内側に、午前及び午後を示すセグメントを配置してもよい。また、上記実施形態では、午前を表すセグメントをＡ、午後を表すセグメントをＰとしたが、これに限らず、例えば、ＡＭ、ＰＭとしてもよい。
【００４１】
（２）  第２実施形態
第２実施形態に係るダイバーズ用情報処理装置１０Ａは、情報表示部１０５Ａが異なる点を除いて、第１実施形態に係るダイバーズ用情報処理装置１０と同様である。以下、重複する説明を排除するため、同一の部分は同一の符号を示し、異なる部分についてのみ説明する。
【００４２】
図６は、情報表示部１０５Ａの表示画面を示す図である。
情報表示部１０５Ａは、液晶表示パネルを具備し、セグメント表示形式で各種情報を表示する。詳述すると、この情報表示部１０５Ａは、時刻の各数字等を表示するための７つのセグメントの組である数字表示部として、１３個の数字表示部２０１〜２０４、２１１〜２１３、２２１〜２２４、２３１〜２３２を備えている。この数字表示部２０１〜２０４のグループをグループ２００、数字表示部２１１〜２１３のグループをグループ２１０、数字表示部２２１〜２２４のグループをグループ２２０、数字表示部２３１〜２３２のグループをグループ２３０とし、各グループに、時刻表示、月日表示、水深表示、水温表示、潜水時間表示等をそれぞれ割り当てている。
【００４３】
この情報表示部１０５Ａにおいて、グループ２００の領域には、月日表示の場合に使用する、区切りを示す区切りセグメントＦ１と、水深表示の場合に使用する、コンマを示すコンマセグメントＦ３と、ｍ（メートル）を示すｍセグメントＦ４と、DEPTH（水深）を示す水深セグメントＦ１６と、ｍａｘ（最大）を示すｍａｘセグメントＦ１７とが設けられている。
【００４４】
また、グループ２１０の領域には、水温表示等を行う場合に使用するセグメント、具体的には、コンマを示すコンマセグメントＦ５と、温度の単位（℃）を示す℃セグメントＦ６と、無減圧潜水可能時間（潜水中にダイバーズ用情報処理装置がダイバーに報知する情報の一つ）を示す際に用いるｍｉｎ（分）を示すｍｉｎセグメントＦ７と、無減圧潜水可能時間を表示中であることを通知する文字情報（ＮＤＬ）を示すＮＤＬセグメントＦ８とが設けられている。
【００４５】
また、グループ２２０の領域には、時刻表示の場合に使用する、コロンを示すコロンセグメントＦ１２と、潜水時間表示と水深表示の場合に使用する、ｍｉｎ（分）の一部を示すｉｎセグメントＦ２０と、ｍ（メートル）を示すｍセグメントＦ２１とが設けられている。さらに、情報表示部１０５Ａには、平均水深値（AVE DEPTH）を表示する際に点灯するフラグＦ１４と、潜水時間（DIVE TIME）を表示する際に点灯するセグメントＦ１０と、電池電圧が低下した際に点灯する電池セグメントＦ９とが設けられている。
【００４６】
次いで、ダイバーズ用情報処理装置１０Ａの動作を説明する。図７は、このダイバーズ用情報処理装置１０Ａの動作フローを説明するための画面遷移図である。なお、以下の動作は、マイクロプロセッサ１０８が、フラッシュＲＯＭ１０９に記憶された制御プログラムを読み出して実行することによって実施される。
【００４７】
ダイバーズ用情報処理装置１０Ａの起動直後は、現在時刻と日付を表示する動作モードとなり、画面Ｔ２４を表示する。この画面Ｔ２４では、グループ２００に月日を、グループ２２０に時分を、グループ２３０に秒を表示する。グループ２２０の現在時刻は、２４時間制にて表されており、０：００から２３：５９までの表示となる。以上が、陸上での動作フローであり、引き続いて、水中での動作フローを述べる。
【００４８】
ダイバーズ用情報処理装置１０Ａが水中に移動し、γスイッチ１０１ｃにて水分が検知された場合、ダイビングの画面Ｄ１を表示する。画面Ｄ１においては、グループ２００に現在水深を、グループ２１０に無減圧潜水可能時間を、グループ２２０に潜水時間を、それぞれ表示すると共に、ｍセグメントＦ２１とｉｎセグメントＦ２０とを点灯してｍｉｎを表示する。なお、無減圧潜水可能時間とは、減圧停止を行わないダイビングがあと何分可能であるか、を表す時間であるが、詳細は省く。ここで、現在水深は、マイクロコンピュータ１００が、センサー部１０４の圧力センサーによって検出した圧力値に基づいて所定間隔で算出し、ＲＡＭ１１０に順次格納するようになっている。
【００４９】
この画面Ｄ１においてαボタン１０１ａが押下されると、押下される間は、画面Ｄ２Ａを表示する。この画面Ｄ２Ａでは、グループ２００に現在のダイビングにおいて最も深くなった水深を、グループ２１０に現在の水温を、グループ２２０にダイビングにおける平均水深を表示すると共に、ｍセグメントＦ２１を点灯してｍを表示する。ここで、最大水深は、ＲＡＭ１１０に格納された現在のダイビングの水深値のうち最も深い水深値であり、平均水深は、計測時間毎の水深値の総和を計測時間にて割った値を算出することにより取得し、現在水温は、マイクロコンピュータ１００が、センサー部１０４の温度センサーにより取得するようになっている。また、画面Ｄ１においては、βボタン１０１ｂが押下されると、ＥＬ部１０６を駆動して画面を照明するようになっている。
【００５０】
以上が水中での動作フローとなる。水中から陸上に移動し、水検知用のγスイッチ１０１ｃがＯＦＦとなると、画面Ｄ１から画面Ｔ２４に自動で切り替わるようになっている。なお、電池セグメントＦ９は、水中か陸上に関わらず、電池電圧が予め定めた閾値以下となった場合に点灯され、ユーザーに電池交換を促すようになっている。
【００５１】
以上説明したように、本実施形態に係るダイバーズ用情報処理装置１０Ａは、ｍを示すｍフラグＦ２１と、ｉｎを示すｉｎフラグＦ２０とを順に配置し、水深表示時はｍフラグＦ２１を点灯してｍ（メートル）を表示し、時間表示時は、ｍフラグＦ２１とｉｎフラグＦ２０とを点灯してｍｉｎ（分）を表示させるようにしたことにより、つまり、ｍ（メートル）とｍｉｎ（分）のｍを共用するようにセグメントを配置することによって、ｍ（メートル）とｍｉｎ（分）とを示すセグメントを別々に配置する場合に比して、省スペース化を図ることができる。
【００５２】
従来技術との比較を行うと、従来の表示が図８の画面４１Ａのように、ｍセグメントＦ２５と、ｍｉｎセグメントＦ２６とを別々に配置していた場合と比較して、本発明の表示である図８の画面４２Ａのように、ｍを共通とすることによって、表示スペースを有効活用でき、その分、画面４２Ａの時刻表示を大きくして視認性の向上を図ることができる。これにより、水中という特殊状況下で特に重要視される時刻や警告等の情報の視認性を向上でき、ダイバー（使用者）に早めに危険を知らせることが可能となる。また、水中等の暗所では、危険を知らせる表示部１０５等にエネルギーを集中させる必要があるため、装置全体を省エネ化しておくことが重要である。本実施形態では、表示のｍを別々に設ける場合に比してｍをセグメント表示するために必要な配線長を短縮することができ、省エネ化を図ることができる。
【００５３】
（３）  第３実施形態
第３実施形態に係るダイバーズ用情報処理装置１０Ｂは、情報表示部１０５Ｂが異なる点を除いて、第２実施形態に係るダイバーズ用情報処理装置１０Ａと同様である。以下、重複する説明を排除するため、同一の部分は同一の符号を示し、異なる部分についてのみ説明する。
【００５４】
図９は、情報表示部１０５Ｂの表示画面を示す図である。
情報表示部１０５Ｂは、液晶表示パネルを具備し、セグメント表示形式で各種情報を表示する。詳述すると、この情報表示部１０５Ｂは、時刻の各数字等を表示するための７つのセグメントの組である数字表示部として、１３個の数字表示部２０１〜２０４、２１１〜２１３、２２１〜２２４、２３１〜２３２を備えている。この数字表示部２０１〜２０４のグループをグループ２００、数字表示部２１１〜２１３のグループをグループ２１０、数字表示部２２１〜２２４のグループをグループ２２０、数字表示部２３１〜２３２のグループをグループ２３０とし、各グループに、時刻表示、月日表示、水深表示、水温表示、潜水時間表示等をそれぞれ割り当てている。
【００５５】
この情報表示部１０５Ｂにおいて、グループ２００の領域には、月日表示の場合に使用する、区切りを示す区切りセグメントＦ１と、水深表示の場合に使用する、コンマを示すコンマセグメントＦ３と、Ｍ（メートル）を示すＭセグメントＦ４１と、DEPTH（水深）を示す水深セグメントＦ１６と、ｍａｘ（最大）を示すｍａｘセグメントＦ１７とが設けられている。
【００５６】
また、グループ２１０の領域には、水温表示等を行う場合に使用するセグメント、具体的には、コンマを示すコンマセグメントＦ５と、温度の単位（℃）を示す℃セグメントＦ６と、無減圧潜水可能時間（潜水中にダイバーズ用情報処理装置がダイバーに報知する情報の一つ）を示す際に用いるｍｉｎ（分）を示すＭｉｎセグメントＦ７１と、無減圧潜水可能時間を表示中であることを通知する文字情報（ＮＤＬ）を示すＮＤＬセグメントＦ８とが設けられている。
【００５７】
また、グループ２２０の領域には、時刻表示の場合に使用する、コロンを示すコロンセグメントＦ１２と、潜水時間表示や水深表示の場合に使用する、Ｍｉｎ（分）の一部を示すｉｎセグメントＦ２０と、Ｍ（メートル）を示すＭセグメントＦ２１１とが点灯可能に設けられている。さらに、情報表示部１０５Ａには、平均水深値（AVE DEPTH）を表示する際に点灯するセグメントＦ１４と、潜水時間（DIVE TIME）を表示する際に点灯するフラグＦ１０と、電池電圧が低下した際に点灯する電池フラグＦ９とが設けられている。
【００５８】
次いで、ダイバーズ用情報処理装置１０Ｂの動作を説明する。図１０は、このダイバーズ用情報処理装置１０Ｂの動作フローを説明するための画面遷移図である。なお、以下の動作は、マイクロプロセッサ１０８が、フラッシュＲＯＭ１０９に記憶された制御プログラムを読み出して実行することによって実施される。
【００５９】
ダイバーズ用情報処理装置１０Ｂの起動直後は、現在時刻と日付を表示する動作モードとなり、画面Ｔ２４を表示する。この画面Ｔ２４では、グループ２００に月日を、グループ２２０に時分を、グループ２３０に秒を表示する。グループ２２０の現在時刻は、２４時間制にて表されており、０：００から２３：５９までの表示となる。以上が、陸上での動作フローであり、引き続いて、水中での動作フローを述べる。
【００６０】
ダイバーズ用情報処理装置１０Ｂが水中に移動し、γスイッチ１０１ｃにて水分が検知された場合、ダイビングの画面Ｄ１Ａを表示する。画面Ｄ１Ａにおいては、グループ２００に現在水深を、グループ２１０に無減圧潜水可能時間を、グループ２２０に潜水時間をそれぞれ表示すると共に、ＭセグメントＦ２１１とｉｎセグメントＦ２０とを点灯してＭｉｎを表示する。ここで、現在水深は、マイクロコンピュータ１００が、センサー部１０４の圧力センサーによって検出した圧力値に基づいて所定間隔で算出し、ＲＡＭ１１０に順次格納するようになっている。
【００６１】
この画面Ｄ１Ａにおいてαボタン１０１ａが押下されると、押下される間は、画面Ｄ２Ｂを表示する。この画面Ｄ２Ｂでは、グループ２００に現在のダイビングにおいて最も深くなった水深を、グループ２１０に現在の水温を、グループ２２０にダイビングにおける平均水深を表示すると共に、ｍセグメントＦ２１を点灯してｍを表示する。ここで、最大水深は、ＲＡＭ１１０に格納された現在のダイビングの水深値のうち最も深い水深値であり、平均水深は、ＲＡＭ１１０に格納された、計測時間毎の水深値の総和を計測時間にて割った値を算出することにより取得し、現在水温は、マイクロコンピュータ１００が、センサー部１０４の温度センサーにより取得するようになっている。また、画面Ｄ１Ａにおいては、βボタン１０１ｂが押下されると、ＥＬ部１０６を駆動して画面を照明するようになっている。
【００６２】
以上が水中での動作フローとなる。水中から陸上に移動し、水検知用のγスイッチ１０１ｃがＯＦＦとなると、画面Ｄ１Ａから画面Ｔ２４に自動で切り替わるようになっている。なお、電池セグメントＦ９は、水中か陸上に関わらず、電池電圧が予め定めた閾値以下となった場合に点灯され、ユーザーに電池交換を促すようになっている。
【００６３】
以上説明したように、本実施形態に係るダイバーズ用情報処理装置１０Ｂは、Ｍを示すＭセグメントＦ２１１と、ｉｎを示すｉｎセグメントＦ２０とを順に配置し、水深表示時はＭセグメントＦ２１１を点灯してＭ（メートル）を表示し、時間表示時は、ＭセグメントＦ２１１とｉｎセグメントＦ２０とを点灯してＭｉｎ（分）を表示させるようにしたことにより、Ｍ（メートル）とＭｉｎ（分）のＭを共用し、Ｍ（メートル）とＭｉｎ（分）とを示すセグメントを別々に配置する場合に比して、省スペース化を図ることができる。
【００６４】
従来技術との比較を行うと、従来の表示が図１１の画面４１Ｂのように、ＭセグメントＦ２５Ｂと、ｍｉｎセグメントＦ２６とを別々に配置していた場合と比較して、本発明の表示である図１１の画面４２Ｂのように、Ｍを共通とすることによって、表示スペースを有効活用でき、その分、画面４２Ｂに表示する時刻（セグメント表示）を大きくして視認性の向上を図ることができる。
これにより、水中という特殊状況下で特に重要視される情報の視認性を向上でき、ダイバー（使用者）に早めに危険を知らせることが可能となると共に、表示のＭを別々に設ける場合に比してＭをセグメント表示するために必要な配線長を短縮でき、省エネ化を図ることができる。
【００６５】
（４）  第４実施形態
第４実施形態に係るダイバーズ用情報処理装置１０Ｃは、情報表示部１０５Ｃと、磁気センサーを備え、このセンサーにより方位を測定する機能を具備する点を除いて第１実施形態及び第２実施形態に係るダイバーズ用情報処理装置１０及び１０Ａとほぼ同様である。以下、重複する説明を排除するため、同一の部分は同一の符号を示し、異なる部分についてのみ説明する。
【００６６】
図１２は、情報表示部１０５Ｃの表示画面を示す図である。
情報表示部１０５Ｃは、液晶表示パネルを具備し、セグメント表示形式で各種情報を表示する。詳述すると、この情報表示部１０５Ｃは、時刻の各数字等を表示するための７つのセグメントの組である数字表示部として、１３個の数字表示部２０１〜２０４、２１１〜２１３、２２１〜２２４、２３１〜２３２を備えている。この数字表示部２０１〜２０４のグループをグループ３００、数字表示部２１１〜２１３のグループをグループ３１０、数字表示部２２１〜２２４のグループをグループ３２０とし、各グループに、時刻表示、月日表示、水深表示、水温表示、潜水時間表示、方位表示等をそれぞれ割り当てている。
【００６７】
この情報表示部１０５Ｃにおいて、グループ３００の領域には、時刻表示の場合に使用する、コロンを示すコロンセグメントＦ２と、月日表示の場合に使用する、区切りを示す区切りセグメントＦ１と、水深表示の場合に使用する、コンマを示すコンマセグメントＦ３と、ｍａｘセグメントＦ１７と、ＮＤＬセグメントＦ８とが設けられている。
【００６８】
さらに、本実施形態では、グループ３００の領域に、「°」、「Ｆ」、「ｔ」をそれぞれ表示するセグメントＦ５０Ａ、Ｆ５０Ｂ、Ｆ５０Ｃが順に配置され、また、「°」、「Ｃ」をそれぞれ表示するセグメントＦ５１Ａ、Ｆ５１Ｂが順に配置され、また、「ｍ」、「ｉｎ」をそれぞれ表示するセグメントＦ５２Ａ、Ｆ５２Ｂが順に配置されている。
【００６９】
また、グループ３１０の領域には、潜水時間表示の場合に使用するｍｉｎ（分）を示すｍｉｎセグメントＦ５３が設けられると共に、「ＤＩＶＥ」、「．」、「Ｔ」、「ＯＴ」、「ＡＬ」をそれぞれ表示するセグメントＦ５４Ａ、Ｆ５４Ｂ、Ｆ５４Ｃ、Ｆ５４Ｄ、Ｆ５４Ｅが順に配置されている。
【００７０】
また、グループ３２０の領域には、時刻表示の場合に使用する、コロンを示すコロンセグメントＦ１２と、水深の単位として「Ｆｔ（フィート）」を表示するためのＦｔセグメントＦ５５と、水深の単位として「ｍ（メートル）」を表示するためのｍセグメントＦ５６と、電池電圧が低下した際に点灯する電池セグメントＦ９とが設けられている。
【００７１】
ここで、図１３は、「°」、「Ｆ」、「ｔ」をそれぞれ表示するセグメントＦ５０Ａ、Ｆ５０Ｂ、Ｆ５０Ｃの表示制御を示す図である。この図に示すように、ダイバーズ用情報処理装置１０Ｃにおいて、これらセグメントＦ５０Ａ〜Ｆ５０Ｃは、「°」と「Ｆ」だけが点灯されることによって華氏の単位である「°Ｆ」を表示させたり、「Ｆ」と「ｔ」だけを点灯することによりフィートの単位である「Ｆｔ」を表示させるために用いられる。
【００７２】
また、図１４は、「°」、「Ｃ」をそれぞれ表示するセグメントＦ５１Ａ、Ｆ５１Ｂの表示制御を示す図である。この図に示すように、これらセグメントＦ５１Ａ、Ｆ５１Ｂは、「°」だけが点灯されることによって角度の単位を表示させたり、「°」と「Ｃ」が点灯されることにより摂氏の単位である「℃」を表示させるために用いられる。
【００７３】
また、図１５は、「ＤＩＶＥ」「．」、「Ｔ」、「ＯＴ」、「ＡＬ」をそれぞれ表示するセグメントＦ５４Ａ、Ｆ５４Ｂ、Ｆ５４Ｃ、Ｆ５４Ｄ、Ｆ５４Ｅの表示制御を示す図である。この図に示すように、これらセグメントＦ５４Ａ〜Ｆ５４Ｅは、「ＤＩＶＥ．」と「Ｔ」だけが点灯されて「ＤＩＶＥ．Ｔ」を表示させたり、「．」以外が点灯されて「ＤＩＶＥ  ＴＯＴＡＬ」を表示させたり、「Ｔ」と「ＯＴ」と「ＡＬ」だけが点灯されて「ＴＯＴＡＬ」を表示させたり、「ＡＬ」だけが点灯されて「ＡＬ」を表示させるために用いられる。
【００７４】
次に、ダイバーズ用情報処理装置１０Ｃの動作を説明する。図１６は、このダイバーズ用情報処理装置１０Ｃの動作フローを説明するための画面遷移図である。なお、以下の動作は、マイクロプロセッサ１０８が、フラッシュＲＯＭ１０９に記憶された制御プログラムを読み出して実行することによって実施される。
【００７５】
ダイバーズ用情報処理装置１０Ｃの起動直後は、現在時刻と日付を表示する動作モード（タイムモード）となり、画面Ｚ１を表示する。この画面Ｚ１では、グループ３００に月日を、グループ３２０に時分を表示する。この画面Ｚ１の状態でαボタン１０１ａが押下されると、アラームセットモードに移行し、画面Ｚ２を表示する。この画面Ｚ２では、グループ３００にアラーム時刻を表示し、グループ３１０にアラームのＯＮ／ＯＦＦを表示し、グループ３２０に現在時刻を表示する。また、「ＡＬ」を示すセグメントＦ５４Ｄを点灯することによりアラーム設定画面であることを示す「ＡＬ」を表示する。この画面Ｚ２では、βボタン１０１ｂが押下されると、アラームのＯＮ／ＯＦＦを切り替える。
【００７６】
また、画面Ｚ２の状態でαボタン１０１ａが押下されると、ヒストリーモードに移行し、画面Ｚ３Ａを表示する。この画面Ｚ３Ａでは、グループ３００に過去最大水深を表示し、グループ３１０に累積ダイビング本数を表示し、グループ３２０に累積ダイビング時間を表示する。また、セグメントＦ５４Ａ〜Ｆ５４Ｄを点灯することによって累積ダイビング本数であることを示す「ＤＩＶＥ  ＴＯＴＡＬ」を表示する。
【００７７】
ここで、本実施形態のダイバーズ用情報処理装置１０Ｃは、水深と水温とを、ｍ（メートル）と摂氏（℃）の単位（ｍ／℃単位系）で表示するか、Ｆｔ（フィート）と華氏（°Ｆ）の単位（Ｆｔ／°Ｆ単位系）で表示するかを切り替える機能を具備しており、画面Ｚ３Ａはｍ／℃単位系の場合を示している。この場合、過去最大水深をメートル換算で表示すると共に、セグメントＦ５２Ａを点灯することによりメートル換算であることを示す「ｍ」を表示する。一方、この画面Ｚ３Ａの状態でβボタン１０１ｂが押下されると、水深と水温とをＦｔ／°Ｆ単位系で表示する設定に切り替わる。すなわち、画面Ｚ３Ａから画面Ｚ３Ｂに切り替わり、過去最大水深をフィート換算で表示すると共に、セグメントＦ５０Ｂ及びＦ５０Ｃを点灯することにより過去最大水深がフィート換算であることを示す「Ｆｔ」を表示する。
【００７８】
以上が陸上での動作フローとなる。引き続いて、水中での動作フローを述べる。まず、ｍ／℃単位系の表示に設定されている場合から説明する。ダイバーズ用情報処理装置１０Ｃが水中に移動し、γスイッチ１０１ｃにて水分が検知された場合、ダイビングの画面Ｚ１０Ａを表示する。画面Ｚ１０Ａにおいては、グループ３００に無減圧潜水可能時間を表示し、グループ３１０に潜水時間を表示すると共に、セグメントＦ５４Ａ及びＦ５４Ｂを点灯させて、潜水時間であることを示す「ＤＩＶＥ．Ｔ」を表示する。また、グループ３２０に現在水深をメートル換算で表示すると共に、ｍフラグＦ５６を点灯することにより、メートル換算であることを示す「ｍ」を表示する。
【００７９】
この画面Ｚ１０Ａにおいてαボタン１０１ａが押下されると、押下される間は、画面Ｚ１１Ａを表示する。この画面Ｚ１１Ａでは、グループ３００に現在水温を摂氏換算で表示すると共に、セグメントＦ５１Ａ、Ｆ５１Ｂを点灯させて摂氏換算であることを示す「°Ｃ」を表示する。また、グループ３１０には、現在のダイビングが今日の何本目であるかを表示すると共に、セグメントＦ５４Ｂ〜Ｆ５４Ｄを点灯させて、今日のダイビング本数の合計であることを示す「ＴＯＴＡＬ」を表示する。なお、グループ３２０に表示する情報は画面Ｚ１０Ａの場合と同じである。
【００８０】
また、画面Ｚ１０Ａにおいてβボタン１０１ｂが押下されると、押下される間はコンパスモードに移行し、画面Ｚ１２Ａを表示する。このモードでは、マイクロコンピュータ１００が、センサー部１０４の磁気センサーによって磁気の方向を検出し、所定の演算処理を行うことによって、このダイバーズ用情報処理装置１０Ｃの１２時方向がいまどの方角にあるかを表す角度と、その方位（１６方位）とを取得する。そして、この画面Ｚ１２Ａでは、グループ３００に求めた角度を表示すると共に、セグメントＦ５１Ａを点灯させて角度の単位である「°」を表示する。また、グループ３２０に方位（図では南南西を示す「ＳＳＷ」）を表示する。
【００８１】
一方、Ｆｔ／°Ｆ単位系の表示に設定されている場合は、γスイッチ１０１ｃにて水分が検知された場合、ダイビングの画面Ｚ１０Ｂを表示し、αボタン１０１ａが押下されると、押下される間は、画面Ｚ１１Ｂを表示し、押下される間はコンパスモードに移行し、画面Ｚ１２Ｂを表示する。この画面Ｚ１０Ｂ〜Ｚ１２Ｂの表示内容は、水深や水温がＦｔ／°Ｆ単位系に換算されて表示され、その単位がＦｔ／°Ｆ単位系で表示される点を除いて、画面Ｚ１０Ａ〜Ｚ１０Ａと同一である。以上が水中での動作フローとなる。水中から陸上に移動し、水検知用のγスイッチ１０１ｃがＯＦＦとなると、タイムモードに移行して画面Ｚ１に自動で切り替わるようになっている。
【００８２】
以上説明したように、本実施形態に係るダイバーズ用情報処理装置１０Ｃは、「°」、「Ｆ」、「ｔ」をそれぞれ表示するセグメントＦ５０Ａ〜Ｆ５０Ｃを順に配置して「°Ｆ」及び「Ｆｔ」とを切替表示するようにし、また、「°」、「Ｃ」をそれぞれ表示するセグメントＦ５１Ａ、Ｆ５１Ｂを順に配置して「°」、及び「°Ｃ」とを切替表示するようにしたことにより、ｍ／℃単位系とＦｔ／°Ｆ単位系の単位の切替表示を可能としつつ、文字又は記号の一部を共用して表示の省スペース化を図ることができる。また、「ＤＩＶＥ．」、「Ｔ」、「ＯＴ」、「ＡＬ」をそれぞれ表示するセグメントＦ５４Ａ〜Ｆ５４Ｅを順に配置することで、「ＤＩＶＥ  ＴＯＴＡＬ」、「ＤＩＶＥ．Ｔ」、「ＴＯＴＡＬ」、及び「ＡＬ」の複数の文字情報を、その文字の一部を共用して表示でき、表示の省スペース化を図ることができる。
すなわち、このダイバーズ用情報処理装置１０Ｃは、複数種類の単位又は文字情報を切替表示する場合に、その同一の文字又は記号を共用するようにセグメントを配置することで、表示の省スペース化を図ることが可能となり、その分、時刻表示等を大きくして視認性を向上することが可能となる。これにより、水中という特殊状況下で特に重要視される情報の視認性を向上でき、ダイバー（使用者）に早めに危険を知らせることが可能となると共に、複数種類の単位又は文字情報を別々に設ける場合に比して各情報をセグメント表示するために必要な配線長を短縮でき、省エネ化を図ることができる。
【００８３】
（５）  変形例
上述の第２〜第４実施形態は、あくまでも本発明の一態様を示すものであり、本発明の範囲内で任意に変形が可能である。例えば、上述の実施形態では、「°」、「Ｃ」をそれぞれ表示するセグメントＦ５１Ａ、Ｆ５１Ｂを順に配置して「°」、及び「°Ｃ」とを切替表示する場合について説明したが、図１７に示すように、「°」、「Ｃ」、「Ｆ」をそれぞれ表示するセグメントを順に配置して、角度の単位である「°」を表示させたり、摂氏の単位である「°Ｃ」を表示させたり、華氏の単位である「°Ｆ」を表示させるようにしてもよい。この場合、「°」を共用でき、その分だけ表示の省スペース化を図ることができる。
【００８４】
また、図１８に示すように、「ＴＯＴ」、「ＡＬ」をそれぞれ表示するセグメントを順に配置し、合計を示す「ＴＯＴＡＬ」、或いは、アラームを示す情報（アラーム設定モードであること、又はアラーム設定済みであることを示す情報等）である「ＡＬ」を表示させることにより、「ＡＬ」を共用して表示の省スペース化を図っても良い。また、上記情報表示部１０５、１０５Ａ、１０５Ｂ、１０５Ｃは、液晶表示パネルを用いる場合に限定されない。例えば、発光ＬＥＤ、エレクトロルミネッセンス（ＥＬ）を用いてもよい。
【００８５】
また、上記情報表示部１０５、１０５Ａ、１０５Ｂ、１０５Ｃがセグメント表示方式の場合について述べたが、ドットマトリックス表示形式でもよい。また、上記各実施形態では、本発明をダイバーズ用情報処理装置に適用する場合について説明したが、携帯電話、時計、ＰＤＡ（Personal Digital Assistants）等の携帯情報機器を含む電子機器に広く適用することが可能である。なお、上記各実施形態では、ｍ又はＭ（メートル）の単位を水深表示時に表示する場合について説明したが、その単位を標高値表示等の水深以外の情報を表示する際に用いることも可能である。
【図面の簡単な説明】
【００８６】
【図１】第１実施形態に係るダイバーズ用情報処理装置の概要構成ブロック図である。
【図２】情報表示部の表示画面を示す図である。
【図３】ダイバーズ用情報処理装置の動作フローを説明するための画面遷移図である。
【図４】本発明の効果を説明するための図である。
【図５】第１実施形態の変形例を説明するための図である。
【図６】第２実施形態の情報表示部の表示画面を示す図である。
【図７】第２実施形態に係るダイバーズ用情報処理装置の動作フローを説明するための画面遷移図である。
【図８】本発明の効果を説明するための図である。
【図９】第３実施形態の情報表示部の表示画面を示す図である。
【図１０】第３実施形態に係るダイバーズ用情報処理装置の動作フローを説明するための画面遷移図である。
【図１１】本発明の効果を説明するための図である。
【図１２】第４実施形態の情報表示部の表示画面を示す図である。
【図１３】第４実施形態に係るダイバーズ用情報処理装置の表示制御の概要を説明するための図である。
【図１４】第４実施形態に係るダイバーズ用情報処理装置の表示制御の概要を説明するための図である。
【図１５】第４実施形態に係るダイバーズ用情報処理装置の表示制御の概要を説明するための図である。
【図１６】第４実施形態に係るダイバーズ用情報処理装置の動作フローを説明するための画面遷移図である。
【図１７】変形例を説明するための図である。
【図１８】変形例を説明するための図である。
【符号の説明】
【００８７】
１０、１０Ａ、１０Ｂ、１０Ｃ…ダイバーズ用情報処理装置、１００…マイクロコンピュータ、１０１ａ…αボタン、１０ｂ…βボタン、１０１ｃ…γスイッチ、１０５、１０５Ａ、１０５Ｂ、１０５Ｃ…情報表示部、２０１〜２０４、２１１〜２１３、２２１〜２２４…数字表示部。
【図１】
2004251887.tif 000003
【図２】
2004251887.tif 000004
【図３】
2004251887.tif 000005
【図４】
2004251887.tif 000006
【図５】
2004251887.tif 000007
【図６】
2004251887.tif 000008
【図７】
2004251887.tif 000009
【図８】
2004251887.tif 000010
【図９】
2004251887.tif 000011
【図１０】
2004251887.tif 000012
【図１１】
2004251887.tif 000013
【図１２】
2004251887.tif 000014
【図１３】
2004251887.tif 000015
【図１４】
2004251887.tif 000016
【図１５】
2004251887.tif 000017
【図１６】
2004251887.tif 000018
【図１７】
2004251887.tif 000019
【図１８】
2004251887.tif 000020